(57)【要約】【課題】本発明は、少なくとも２個のパネルからなる積層の固定装置、特に保持装置に関する。【解決手段】装置は、クリップ形の雌型部品（２）および、頭部をなす部分（６）と、前記クリップに軸方向に挿入可能なカム（８）形状の横断面を備えた軸部をなす部分（７）とを備えた、雄型部品（１）を有するタイプである。装置は、雌型部品（２）に雄型部品（１）をブロックする、クリップ（２）と一体の部材を含んでおり、この部材は、フィンガ（３８）として構成され、雄型部品（１）と雌型部品（２）とが下端（２７）の相対的な角方向の離隔位置を占有するとき、雄型部品（１）の頭部（６）のノッチ（１０）への係合位置と、このノッチからの解放位置との間で、任意の作用により移動可能である。  本発明は、パネルの固定に使用できる。【選択図】図１
2004311996.tif 000002
【特許請求の範囲】
【請求項１】
少なくとも２個のパネルからなる積層の固定装置、特に保持装置であって、軸方向に弾性変形可能な頭部と、前記パネルの積層を貫通する穴に係合可能な中空の脚部とからなり、弾性的に互いに離隔可能であって、前記穴に脚部が挿入される非離隔位置と、パネルの積層を保持する離隔位置との間で移動可能な２個の下端を含む、クリップ形の雌型部品と、頭部をなす部分と、前記クリップに軸方向に挿入可能なカム形の横断面を備えた軸部をなす部分とを含んで、クリップの脚部の下端の間に係合され、クリップ内で、下端が離隔されない角方向の位置と、下端が離隔される角方向の位置との間で回転する雄型部品と、前記雌型部品の頭部から突出する少なくとも一つの部材と、前記離隔位置で雄型部品の頭部周辺に前記突出部材を受容するノッチとを含んで、下端の離隔位置で雄型部品が雌型部品内で不都合に回転しないようにする手段とを含んでおり、前記部材は、雄型部品および雌型部品が、下端の相対的な角方向の離隔位置を占有するとき、ノッチへの係合位置と、このノッチからの解放位置との間で、任意の作用により移動可能なフィンガとして構成されることを特徴とする装置。
【請求項２】
フィンガが、装置の軸方向に弾性変形可能な、突出部材の端に配置されることを特徴とする請求項１に記載の固定装置。
【請求項３】
雌型部品の頭部が刳り貫かれており、弾性変形部材が、頭部の刳り抜きで前記頭部の縁から突出していることを特徴とする請求項２に記載の固定装置。
【請求項４】
前記フィンガが、フィンガに作用する力によって、装置の軸方向に移動可能であることを特徴とする請求項１から３のいずれか一項に記載の固定装置。
【請求項５】
前記雌型部品の頭部が、Ｃ形の輪郭を有し、その折り曲げられた縁が、底壁にほぼ平行であって、雄型部品が雌型部品に押し込まれて下端の離隔位置から角方向にずれた位置にあるとき、雌型部品に雄型部品を軸方向にブロックするブロック部材の受容スペースを前記底壁とともに画定し、前記ブロック部材が、雄型部品の頭部に結合されることを特徴とする請求項１から４のいずれか一項に記載の固定装置。
【請求項６】
軸方向のブロック部材が、下端の離隔されない押し込み位置で、雌型部品に雄型部品をブロックし、２個の部品からなるアセンブリをパネルの穴から取り出せるようにしたことを特徴とする請求項５に記載の固定装置。
【請求項７】
前記ブロック部材が、その周辺に、装置の半径方向に突出する部分を含んでおり、前記突出部分が、雌型部品への雄型部品の軸方向押し込み位置で、雌型部品の頭部の刳り貫きを通り、下端が離隔される押し込み位置から角方向にずれた位置で、頭部内の刳り貫きの画定部分の後方に係合されることを特徴とする請求項５または６に記載の固定装置。
【発明の詳細な説明】
【技術分野】
【０００１】
本発明は、軸方向に弾性変形可能な頭部と、前記パネルの積層を貫通する穴に係合可能な中空の脚部とからなり、弾性的に互いに離隔可能であって、前記穴に脚部が挿入される非離隔位置と、パネルの積層を保持する離隔位置との間で移動可能な２個の下端を含む、クリップ形の雌型部品と、頭部をなす部分と、前記クリップに軸方向に挿入可能なカム形の横断面を備えた軸部をなす部分とを含んで、クリップの脚部の下端の間に係合され、クリップ内で、下端が離隔されていない角位置と、下端が離隔されている角位置との間で回転する雄型部品と、下端の離隔位置で雄型部品が雌型部品内で不都合に回転しないようにする手段とを含む、少なくとも２個のパネルからなる積層の固定装置、特に保持装置に関する。
【背景技術】
【０００２】
このタイプの固定装置は、特許文献１から公知である。この装置では、回転防止装置が、クリップの頭部上面に突出部を含んでおり、突出部は、クリップの脚部の下端の離隔位置に雄型部品があるとき、この雄型部品の頭部周辺にそれぞれ係合可能である。こうした手段は、パネルの積層が振動を受けると、もはや雌型部品内で雄型部品を角方向にブロックしないという欠点を有する。
【０００３】
【特許文献１】仏国出願公開第２７９００４６号明細書
【発明の開示】
【発明が解決しようとする課題】
【０００４】
本発明は、既知の固定装置の上記欠点を解消することを目的とする。
【課題を解決するための手段】
【０００５】
この目的に達するために、本発明による固定装置は、雄型部品および雌型部品が、雄型部品の頭部で下端が離隔する相対的な角方向の離隔位置を占有するとき、雄型部品の頭部周辺にあるノッチへの係合位置と、このノッチからの解放位置との間で、任意作用により移動可能なフィンガとして、雌型部材の頭部から突出する部材を構成することを特徴とする。
【０００６】
本発明の特徴によれば、フィンガが、装置の軸方向に弾性変形可能な、突出部材の端に配置される。
【０００７】
本発明の別の特徴によれば、雌型部品の頭部が刳り貫かれており、弾性変形部材が、前記頭部の刳り貫きで前記頭部の縁から突出している。
【０００８】
本発明の別の特徴によれば、フィンガが、このフィンガに作用する力によって、装置の軸方向に移動可能である。
【０００９】
本発明の別の特徴によれば、雌型部品の頭部がＣ形の輪郭を有し、その折り曲げられた縁が、底壁にほぼ平行であって、雄型部品が雌型部品に押し込まれて下端の離隔位置から角方向にずれた位置にあるとき、雌型部品に雄型部品を軸方向にブロックするブロック部材の受容スペースを前記底壁とともに画定し、前記ブロック部材が、雄型部品の頭部に結合されている。
【００１０】
本発明の別の特徴によれば、軸方向ブロック部材が、下端の離隔されていない押し込み位置で雌型部品に雄型部品をブロックし、２個の部品からなるアセンブリをパネルの穴から取り出せるようにしている。
【００１１】
本発明の別の特徴によれば、ブロック部材が、その周辺に、装置の半径方向に突出する部分（５０）を含んでおり、前記突出部分が、雌型部品への雄型部品の軸方向押し込み位置で、雌型部品の頭部の刳り貫きを通り、下端が離隔される押し込み位置から角方向にずれた位置で、頭部内の刳り貫き画定部分の後方に係合される。
【００１２】
本発明は、本発明の実施形態を示す、例としてのみ挙げられた添付図面に関してなされた以下の説明を読めば、いっそう理解され、本発明の他の目的、特徴、細部、および長所が一段と明らかになるであろう。
【発明を実施するための最良の形態】
【００１３】
図１は、２個の協働部品、すなわち雄型部品１と雌型部品２とからなり、雌型部品２が通る円形穴４を備えた２個のプレート３の積層を保持するように構成された、本発明による固定装置を示している。
【００１４】
有利にはプラスチック材料からなる雄型部品が、軸部７の上端に頭部をなす部分６を含んでおり、軸部の他端は、カム８の形状を有するように構成されている。
【００１５】
より詳しくは、頭部６は、円形ディスクの形状を有し、その周辺に、ほぼ矩形の直径方向に向かい合った２個の半径方向のノッチ１０を備え、外側正面１２に、直径方向の溝１１を含んでいる。頭部６は、軸部７に対して垂直に延びている。
【００１６】
雄型部品１は、また、頭部６から軸方向に所定の距離のところに、部品を軸方向にブロックする部材１４を含んでおり、ブロック部材は、軸部７から半径方向に突出して、特定の形状を有する。この形状については後述する。
【００１７】
軸部７は、頭部６とカム８との間でほぼ円形であり、長手方向の２個のリブ１６を支持し、これらのリブが、直径方向の溝１１の位置で角方向に半径方向外側に突出し、互いに直径方向に向かい合って配置されている。
【００１８】
カム８をなす部分は、軸部７の直径方向拡大部を構成し、拡大方向に対して垂直な軸部の偏平部を備える。カムは、その端に向かって、徐々に拡大し、平坦になっていく移行部分１８と、幅および厚みが一定の中間部分と、中間部分と端部分１９との接合部で幅および厚み方向に肥厚部分を構成する端部分２０とを含む。肥厚部分は、カムの幅方向に延びるエッジの形状をとる端２１まで徐々に減少する。肥厚部分２０は、その形成位置で、中間部分１９とともに、中間部分１９の外面から周辺方向外側に延びる周辺ショルダ２２を形成する。
【００１９】
雌型部品２は、弾性変形可能な、好適には金属製のクリップからなる。クリップ２は、ほぼＴ字形で、その水平バーが、頭部２４を形成し、垂直バーが、中空の脚部２５を形成する。図示された例では、クリップは、地板からカットされた帯状部品を折り曲げて製造されている。脚部は、帯の長手方向に対して垂直な線を中心として、帯状部品の各外側部分を折り曲げて得られる。このように９０°の角度だけ折り曲げた各部分が下端２７を構成する。次いで、同様に帯の長手方向に対して垂直な折り線に沿って、２個の下端２７の間に配置される帯部分を各下端から所定の距離のところで角度１８０°だけ折り曲げることによって、頭部２４を形成する。このようにして、頭部の水平な外壁２８と、分枝が底に平行であるＣ字形構成を外壁２８とともに形成するように折り曲げられた壁２９とが得られる。図では、この折り曲げ後、２個の下端２７が、互いに平行に延びて中空の脚部２５を形成している。折り曲げた壁２９により、頭部は弾性変形可能である。図からわかるように、外壁２８と折り曲げ壁２９とともに頭部を形成する帯部分は刳り貫かれており、一般に、長手方向のバー３０ａ、３０ｂと、横方向のバー３１として構成された縁の間に画定される、ほぼ矩形の刳り貫き３２を有する。長手方向の各バーは、頭部の水平な外壁２８に属する部分３０ａと、折り曲げ壁２９に属する部分３０ｂとを含む。バー３１は、縁３０ｂの自由端を結合している。下端２７は、このバーに結合される。
【００２０】
頭部は、刳り貫き３２内で縁３０ａ、３１から突出する様々な部材を含む。かくして、頭部の上壁２８は、その中央エリアに、ほぼ矩形の２個の突出部３５を含み、これらの突出部は、互いに向かい合っていて、軸部７の長手方向のリブ１６の形状と係合する形状の円弧形のノッチ３６をそれぞれ含んでおり、このノッチに長手方向のリブが係合するように構成される。各突出部３５の幅は、軸部７の直径に対応する。
【００２１】
さらに、壁２８は、長手方向の側面にＬ字型部材３８を含んでおり、その分枝３８ａが、刳り貫き３２内で、壁２８の面の外に上向きに傾きながら、長手方向のバー３０ａから垂直に延びている。他方の自由端３８ｂは、頭部の壁２８の長手方向に平行に、突出部３５に向かって対称軸上に配向されたロックフィンガを構成し、雄型部品の頭部周辺でノッチ１０に係合できるようにされている。部材３８は、ノッチ１０に係合される傾斜位置と、クリップ２８の上部の面に向かって押し戻されてノッチから外れる位置との間で、弾性的に移動可能である。
【００２２】
さらに、長手方向の他方の縁３０に、部材３８と向かい合って、突出つめ３９があり、中間横軸Ｙ−Ｙに関して前記部材３８および前記つめ３９に対して対称な場所に、他の２個の突出つめ３９があることが認められる。
【００２３】
頭部は、さらに、横方向の各バー３１から突出する支持片４１を含んでおり、支持片は、非常に開いたＶ字形の輪郭を有し、その底が、頭部の外側で湾曲バー３０ｂの面の外にある。これらの支持片により、積層の固定位置で、頭部が上部プレート３により支持される。
【００２４】
クリップ２の脚部２５の配置に関して、これを構成する２個の下端２７は、固定装置のＸ−Ｘ軸と同心の円弧形の輪郭を有するように、それぞれ湾曲されている。下端２７を湾曲可能にするように、この下端は、中間部分４２でその幅の分だけ、横方向のバー３１の外縁に結合される。下端２７は、自由端４３のエリアで半径方向に収束するように構成される。下端は、この部分で、一部円錐台形面の輪郭を有する。そのため、円錐台形の二端４３の自由端４４は、互いに離れているが、この間隔は、２個の下端２７の隣接する２個の長手方向自由縁の間の間隔より狭い。
【００２５】
下端２７の湾曲部における相互の間隔ａは、カム８の幅ｂよりもやや広く、下端が離隔することなく、この下端により画定される空洞内でカムが軸方向移動できるようにしている。離隔されるのは、カムが下端の先端４４の間に係合されるときだけである。また、カムの厚さｃが、下端の長手方向の外縁の間隔ｄを下回り、有利には、長手方向の外縁の位置で先端４４の間の間隔ｅを下回ることが分かる。
【００２６】
さらに、脚部２５の各下端２７にはＵ字形スリットの形状を取る開口部４６がカットされており、Ｕ字形の底が、半径方向の収束エリア４３の起点位置にあって、Ｕ字形の分枝が、下端の自由端に向かって延びていることが分かる。
【００２７】
開口部４６の下縁を画定する収束部分４３の一部４７は、矩形の舌片の形状をとる。Ｕ字形の底の上縁４８は、雄型部分１を雌型部分２に軸方向に挿入するとき、雄型部分と雌型部分とのプリアセンブリを得られるように配置され、このとき、カムのショルダ２２が、開口部４６の縁４８の後方で係合する。
【００２８】
以上、雄型部品および雌型部品の構造について説明したので、次に、ヘッド部材１４について説明する。この部材１４は、図７に示したように、雄型部品１を軸方向の最終挿入位置まで雌型部品に挿入したとき、頭部の外壁２８と湾曲壁２９との間に配置されるように構成される。部材１４は、図６に示した配向で、ロックフィンガ３８に邪魔されずに軸方向の最終位置まで雄型部品１を挿入できるように構成される一方で、下端の非離隔位置で、特に図６に対して角度９０°の回転後、またこの位置に達する前に既に、雄型部品をブロックする。
【００２９】
追加ヘッド部材１４が上記の機能を果たせるようにするために、この部材は、直径方向に向かい合った２個の側面突起５０を含んでおり、下端２７が離隔されていない押し込み位置を雄型部品が占有するとき、突起が、頭部２４の長手方向のバー３０ａの下に係合されるように配置される。部材１４は、また、図６に示したように、雄型部品を雌型部品に押し込むときに、２個の部品の相対的な角方向の位置でロックフィンガ３８ｂにより邪魔されることなく部材を通過可能にする周辺刳り貫き５１を有する。
【００３０】
本発明による固定装置は、次のように使用され、動作する。
【００３１】
図１に示された、たとえば２個のパネル３の組立、固定、および保持のために、第一に、これらのパネルを貫通する孔４にクリップ２を通してから、雄型部品１を雌型部品に押し込むことにより、図１に示された相対的な角方向の位置で、ヘッド部材１４が、周辺に設けられた対応する切り込み５１により、ロックフィンガ３８の前を通過できるようにする。雄型部品を奥まで押し込んだとき、そのカム部分８が、まず下端２７の空洞内でスライドするが、下端を離隔することは全くない。カムが、その小さい方の側面１９ａにより、下端の端にある半径方向の収束部分４３と接触し、最終的に下端の下縁４４と接触したときだけ、図７に明示したように、下端は離隔を余儀なくされ、パネル３を保持する。この最終押し込み位置で、下端２７の下縁４４は、カム８のショルダ２２と係合し、それによって、下端の離隔位置で雄型部品１を雌型部品２に軸方向にロックする。雄型部品１を軸方向に最大限押し込み、雌型部品２の下端２７を離隔するこの位置で、雌型部品の頭部２４のブロックフィンガ３８は、雄型部品の頭部６の周辺ノッチ１０に係合され、雄型部品は、この相対的な角方向の位置でブロックされる。そのため、ブロックフィンガ３８を所定の距離だけ下方に戻し、すなわち装置の軸方向に戻して、ノッチからフィンガを解除することを目的とした任意の介入がなければ、部品１のあらゆる不都合な角方向運動は不可能になる。こうした解除後、雄型部品が雌型部品内で回転するよう導かれる可能性は確かにあるが、しかしながら、いまや雌型部品の頭部のバー３０ａの下にくるヘッド部材１４の突起５０により、雄型部品はなお軸方向に施錠され続ける。このようにして、雄型部品を下端２７の非離隔位置に導くことができ、この位置で、下端の先端４４は、カムの大きい方の面１９ｂと向き合う。雄型部品と雌型部品とのこうした相対的な角方向の位置で、装置を穴４から外すことができるが、雄型部品は、依然として雌型部品に軸方向にブロックされ続ける。
【００３２】
パネル３の穴４への装置の設置プロセスは、また、穴４に雌型部品を係合する前に、たとえばカム８のショルダ２２が下端２７に設けられた開口部４６の縁４８の後方に係合するまで、雌型部品２に雄型部品１を押し込むことから始めてもよい。雄型部品１の後方運動を既に阻止しているこうした軸方向の位置で、下端２８は、まだ離隔されていないので、こうして予め組み立てた装置をパネルの穴４に挿入可能である。その後、雄型部品を雌型部品に奥まで押し込むことによって、パネル３が相互に固定される。
【００３３】
もちろん、図を参照しながら説明した上記の固定装置に様々な修正を行うことができる。かくして、雌型部品は、地板からカットした帯から折り曲げて製造する代わりに、他のあらゆる適切な手段で製造可能である。雄型部品のカム８の形状は、たとえば、ロックフィンガ３８の形状のように、異なるものであってもよい。この場合、もちろん、他方の部品に設けられた協働部材は、上記の機能が常に確保されるように係合する形状もしくは配置を有するよう留意すべきである。  
【図面の簡単な説明】
【００３４】
【図１】本発明による固定装置を積層パネルに挿入する前に分解状態で示す斜視図である。
【図２】図１による固定装置を予め組み立てた状態で示す斜視図である。
【図３】図２による装置の立面図である。
【図４】図３の矢印ＩＶの方向から見た図である。
【図５】図３の装置の上面図である。
【図６】図４のＩＶ−ＩＶ線に沿った断面図である。
【図７】積層プレートのブロック位置で装置を示す拡大立面図である。
【符号の説明】
【００３５】
１  雄型部品
２  雌型部品
３  パネル
４  穴
６  雄型部品の頭部
７  雄型部品の軸部
８  カム
１０  ノッチ
１１  溝
１４  軸方向ブロック部材
１６  長手方向のリブ
１８  移行部分
１９、２０  端部分
２２  周辺ショルダ
２４  雌型部品の頭部
２５  脚部
２７  下端
２８  底壁
２９  折り曲げ縁
３０ａ、３０ｂ  長手方向のバー
３１  バー
３２  刳り貫き
３５  突出部
３６  ノッチ
３８  弾性変形部材またはロックフィンガ
３９  つめ
４１  支持片
４３  半径方向の湾曲エリア
４４  下縁
４６  開口部
４７  一部
４８  上縁
５０  突出する部分
５１  周辺刳り貫き
【図１】
2004311996.tif 000003
【図２】
2004311996.tif 000004
【図３】
2004311996.tif 000005
【図４】
2004311996.tif 000006
【図５】
2004311996.tif 000007
【図６】
2004311996.tif 000008
【図７】
2004311996.tif 000009